【事件の表示】
　特願２００７−５０９２１９「情報記録媒体、情報再生装置、情報再生方法」拒絶査定不服審判事件〔平成１８年　９月２８日国際公開、ＷＯ２００６／１００９８１〕について、次のとおり審決する。
【結　論】
　本件審判の請求は、成り立たない。
【理　由】
１．手続の経緯
　
　本願は、平成１８年３月１５日（優先権主張　２００５年３月１８日　日本国（ＪＰ））を国際出願日とする出願であって、平成２２年１０月１２日付け拒絶理由通知に対して同年１２月８日付けで手続補正がなされたが、平成２３年１月１３日付けで拒絶査定がなされ、これに対し、同年４月１４日付けで拒絶査定不服審判が請求されたものである。
　
２．本願発明
　
　本願の請求項１ないし２１に係る発明は、平成２２年１２月８日付け手続補正により補正された特許請求の範囲の請求項１ないし２１に記載された事項により特定されるとおりのものと認められるところ、請求項２に係る発明（以下「本願発明」という。）は、次のとおりのものである。
　
「　【請求項２】
　情報が記録されるデータ領域中に予め一定間隔で特殊パタンが書き込まれた情報記録媒体から情報を再生する情報再生装置であって、
　前記情報記録媒体から再生される再生信号をパルス化してパルス化出力信号を出力するデータパルス化部と、
　前記パルス化信号に基づいて前記特殊パタンを検出し、前記特殊パタンの検出間隔を示す特殊パタン検出信号を出力するパタン検出部と、
　前記特殊パタン検出信号に基づいて前記データパルス化部が前記再生信号と同期して動作しているか否かを判定し、同期外れか否かを示す判定結果を出力する判定部と
　を具備し、
　前記判定結果が、同期外れを示すとき、前記データパルス化部は同期外れの回復動作を行う
　情報再生装置。」
　
３．引用例
　
　原査定の拒絶の理由に引用された、本願の優先権主張の日前に頒布された刊行物である特開平４−２９５６７２号公報（平成４年１０月２０日公開、以下「引用例」という。）には、図面と共に、以下の記載がある。（なお、下線は当審で付与した。）
　
（１）「【０００１】
【産業上の利用分野】この発明は
音楽再生用等に用いられる光ディスクプレーヤ
【従来の技術】
図３は従来のコンパクトディスクプレーヤ（以下、ＣＤプレーヤという）の構成例を示すブロック図である。
１はコンパクトディスク（以下、ＣＤという）の信号記録面上にピットによって記録されたディジタル情報をレーザビームを用いて読み取る光学ピックアップ、２はＲＦアンプであり、光学ピックアップ１から出力された読み取り信号からフォーカスエラー信号およびトラッキングエラー信号を生成して出力すると共に、この読み取り信号を増幅してＲＦ信号として出力する。
【０００２】また、
３はＲＦ信号を波形整形してディジタルデータのＥＦＭ（Ｅｉｇｈｔ　ｔｏ　Ｆｏｕｒｔｅｅｎ　Ｍｏｄｕｌａｔｉｏｎ）信号Ｓ
ＥＦＭ
として出力するＥＦＭコンパレータである。さらに、４は電圧制御発振器（以下、ＶＣＯという）、５はＥＦＭ信号Ｓ
ＥＦＭ
の位相とＶＣＯ５の出力信号の位相とを比較して位相比較信号Ｓ
ＰＤ
を出力する位相比較回路、６は位相比較信号Ｓ
ＰＤ
を平滑化するループフィルタであり、ＶＣＯ４の出力信号、即ち、クロックＣＬＫの周波数は、ループフィルタ６の出力信号によって制御される。尚、回路要素４〜６はフェイズロックドループ（ＰＬＬ）を構成している。
【０００３】加えて、
７はミスロック検出回路であり、ＣＤの回転起動時やサーチなど上述したＰＬＬの動作が不安定でフレーム同期信号が正常に検出できない場合に、ループフィルタ６を制御してＰＬＬのミスロックを防止する。８はデータプロセッサであり、クロックＣＬＫに同期してＥＦＭ信号Ｓ
ＥＦＭ
を読み取り、ＥＦＭ信号Ｓ
ＥＦＭ
の復調、符号誤りの訂正および補正等の処理を行う。
　
（２）「【０００７】
【実施例】以下、図面を参照してこの発明の一実施例について説明する。
図１はこの発明の一実施例によるＣＤプレーヤの構成を示すブロック図であり、この図において、図３の各部に対応する部分には同一の符号を付け、その説明を省略する。
９はＥＦＭ信号Ｓ
ＥＦＭ
からフレーム同期信号を検出する同期信号検出回路、１０はスイッチであり、一端がミスロック検出回路７の制御信号出力端に接続され、他端がループフィルタ６の制御信号入力端に接続されている。１１は同期信号タイマであり、同期信号検出回路９によって検出されたフレーム同期信号が以下に示す不等式に基づいて予め設定された時間Ｔ以上検出されない場合にスイッチ１０をオンする。
Ｔ＞Ｄ／Ｌ・・・丸数字の１
ここで、ＤはＣＤのキズや汚れの幅、ＬはＣＤの線速度である。」
　
（３）「【００１１】また、ＣＤがこのＣＤプレーヤにセットされ、再生用のスイッチ等が押されてＣＤが回転し始めた場合やフォーカスサーチなどがなされている場合においては、同期信号検出回路９は、ＥＦＭ信号ＳＥＦＭからフレーム同期信号を検出する。そして、同期信号タイマ１１は、同期信号検出回路９によってフレーム同期信号が時間Ｔ以上検出されていないか否かを計測する。今の場合、ＲＦ信号が不安定であるので、フレーム同期信号が時間Ｔ以上未検出であることがある。従って、
フレーム同期信号が時間Ｔ以上未検出である場合には、同期信号タイマ１１は、スイッチ１０をオフからオンに切換える。
【００１２】
これにより、ミスロック検出回路７から出力された制御信号がループフィルタ６の制御信号入力端に入力されるので、ループフィルタ６が制御されてＰＬＬのミスロックが防止される。
　
　上記摘示事項及び図面の記載を総合勘案すると、引用例には、次の発明（以下「引用発明」という。）が記載されているものと認める。
　
「ＣＤからディジタル情報を再生するＣＤプレーヤであって、
　ＣＤの信号記録面上にピットによって記録されたディジタル情報をレーザビームを用いて読み取る光学ピックアップと、
　光学ピックアップから出力された読み取り信号からフォーカスエラー信号およびトラッキングエラー信号を生成して出力すると共に、この読み取り信号を増幅してＲＦ信号として出力するＲＦアンプと、
　ＲＦ信号を波形整形してディジタルデータのＥＦＭ信号として出力するＥＦＭコンパレータと、
　出力信号、即ち、クロックの周波数が、ループフィルタの出力信号によって制御されるＶＣＯと、
　ＥＦＭ信号の位相とＶＣＯの出力信号の位相とを比較して位相比較信号を出力する位相比較回路と、
　位相比較信号を平滑化するループフィルタと、
　ＣＤの回転起動時やサーチなどＶＣＯ、位相比較回路、ループフィルタが構成するＰＬＬの動作が不安定でフレーム同期信号が正常に検出できない場合に、ループフィルタを制御してＰＬＬのミスロックを防止するミスロック検出回路と、
　クロックに同期してＥＦＭ信号を読み取り、ＥＦＭ信号の復調、符号誤りの訂正および補正等の処理を行うデータプロセッサと、
　ＥＦＭ信号からフレーム同期信号を検出する同期信号検出回路と、
　一端がミスロック検出回路の制御信号出力端に接続され、他端がループフィルタの制御信号入力端に接続されているスイッチと、
　同期信号検出回路によって検出されたフレーム同期信号が予め設定された時間Ｔ以上検出されない場合にスイッチをオンする同期信号タイマと
　を具備し、
　フレーム同期信号が時間Ｔ以上未検出である場合には、ループフィルタが制御されてＰＬＬのミスロックが防止されるＣＤプレーヤ。」
　
４．対比
　
　そこで、本願発明と引用発明とを対比する。
　
（１）引用発明の「ディジタル情報」「ＣＤ」「ＣＤプレーヤ」は、それぞれ、本願発明の「情報」「情報記録媒体」「情報再生装置」に相当する。ＥＦＭ信号のフレーム同期信号は、一定間隔で挿入され、ＥＦＭ変調符号規則に現れないパタンを含む信号であるから、引用発明の「フレーム同期信号」は、本願発明の「特殊パタン」に相当する。
　したがって、本願発明と引用発明とは、「情報が記録されるデータ領域中に予め一定間隔で特殊パタンが書き込まれた情報記録媒体から情報を再生する情報再生装置」である点で共通する。
（２）本願発明の「データパルス化部」は、「前記情報記録媒体から再生される再生信号をパルス化してパルス化出力信号を出力」し、「前記再生信号と同期して動作」し、「同期外れの回復動作を行う」ものである。
　一方、引用発明の「ＶＣＯ、位相比較回路、ループフィルタが構成するＰＬＬ」は、ＥＦＭ信号に追従するクロックを生成するものであり、「データプロセッサ」は、「クロックに同期してＥＦＭ信号を読み取」るものであるから、「データプロセッサ」は、ＣＤから再生されたＥＦＭ信号に追従するクロックに同期してＥＦＭ信号を読み取る一連の回路の最終段であるといえる。また、「ミスロック検出回路」は、「ＣＤの回転起動時やサーチなどＶＣＯ、位相比較回路、ループフィルタが構成するＰＬＬの動作が不安定でフレーム同期信号が正常に検出できない場合に、ループフィルタを制御してＰＬＬのミスロックを防止する」ものであるから、上記一連の回路の同期を回復する回路であるといえる。
　したがって、引用発明においてＥＦＭ信号を生成する「光学ピックアップ」「ＲＦアンプ」「ＥＦＭコンパレータ」、クロックを生成する「ＶＣＯ」「位相比較回路」「ループフィルタ」、「データプロセッサ」及び「ミスロック検出回路」は、本願発明の「データパルス化部」に相当し、本願発明と引用発明とは、「前記情報記録媒体から再生される再生信号をパルス化してパルス化出力信号を出力するデータパルス化部」を具備する点で共通する。
（３）引用発明の「同期信号検出回路」は、「ＥＦＭ信号からフレーム同期信号を検出」するものであり、その出力信号の間隔はフレーム同期信号の検出間隔を示すことになるから、本願発明の「パタン検出部」に相当する。
　したがって、本願発明と引用発明とは、「前記特殊パタンを検出し、前記特殊パタンの検出間隔を示す特殊パタン検出信号を出力するパタン検出部」を具備する点で共通する。
（４）引用発明の「同期信号タイマ」は、「同期信号検出回路によって検出されたフレーム同期信号が予め設定された時間Ｔ以上検出されない場合にスイッチをオンする」ものである。「フレーム同期信号が予め設定された時間Ｔ以上検出されない」ことは、「ＶＣＯ」「位相比較回路」「ループフィルタ」が生成するクロックがＥＦＭ信号に同期していないことを示し、「同期信号タイマ」の出力は、「ＶＣＯ」「位相比較回路」「ループフィルタ」が生成するクロックがＥＦＭ信号に同期しているか否かを示すことになる。
　したがって、引用発明の「同期信号タイマ」は、本願発明の「判定部」に相当し、本願発明と引用発明とは、「前記特殊パタン検出信号に基づいて前記データパルス化部が前記再生信号と同期して動作しているか否かを判定し、同期外れか否かを示す判定結果を出力する判定部」を具備する点で共通する。
（５）引用発明は、「フレーム同期信号が時間Ｔ以上未検出である場合には、ループフィルタが制御されてＰＬＬのミスロックが防止される」ものであるから、本願発明と引用発明とは、「前記判定結果が、同期外れを示すとき、前記データパルス化部は同期外れの回復動作を行う」点で共通する。
　
　そうすると、本願発明と引用発明とは、次の点で一致する。
　
＜一致点＞
　
「情報が記録されるデータ領域中に予め一定間隔で特殊パタンが書き込まれた情報記録媒体から情報を再生する情報再生装置であって、
　前記情報記録媒体から再生される再生信号をパルス化してパルス化出力信号を出力するデータパルス化部と、
　前記特殊パタンを検出し、前記特殊パタンの検出間隔を示す特殊パタン検出信号を出力するパタン検出部と、
　前記特殊パタン検出信号に基づいて前記データパルス化部が前記再生信号と同期して動作しているか否かを判定し、同期外れか否かを示す判定結果を出力する判定部と
　を具備し、
　前記判定結果が、同期外れを示すとき、前記データパルス化部は同期外れの回復動作を行う
　情報再生装置。」の点。
　
　そして、次の点で相違する。
　
＜相違点＞
　
　「前記特殊パタンを検出」する動作について、本願発明は、「前記パルス化信号に基づいて」行うのに対し、引用発明は、そのような限定がない点。
　
５．判断
　
　そこで、上記相違点について検討する。
　
　引用例の図１には、同期信号検出回路がデータプロセッサに含まれることが示されているから、引用発明において、「データプロセッサ」が「クロックに同期してＥＦＭ信号を読み取」ることによって生成した信号に基づいて「同期信号検出回路」が「フレーム同期信号を検出する」ようにすることは、当業者が適宜なし得る。
　
　そして、上記相違点を総合的に判断しても、本願発明が奏する効果は引用例から、当業者が十分に予測できたものであって、格別なものとはいえない。
　
６．むすび
　
　以上のとおり、本願の請求項２に係る発明は、引用例に記載された発明に基づいて当業者が容易に発明をすることができたものであるから、特許法第２９条第２項の規定により特許を受けることができない。
　したがって、本願は、その余の請求項について論及するまでもなく拒絶すべきものである。
　
　よって、結論のとおり審決する。